(57)【要約】【課題】切開手術が不要で、且つスクリュー間の距離が一定でなくても平行でなくても埋め込むことができ、しかも緩みがなく強固に固定でき、またインプラントを抜き出すことなく、上部構造体を着脱できるようにした。【解決手段】インプラント構造１は、挿通穴１０ｅを有する上部構造体１０と、頭部雄ねじ部２１と、係合六角部２２と、係止リング２３と、埋込みねじ部２４とが形成された一対のスクリュー２と、係合六角部２２に係合する第１係合穴３２及び第２係合穴３３を形成させた突出雄ねじ部３１を有するベースプレート３とを備えている。両スクリュー２を骨に埋め込み、係合六角部２２に第１係合穴３２を係合させて頭部雄ねじ部２１に第１ナット４を螺合させ、突出雄ねじ部３１に挿通穴１０ｅを挿通させ、突出雄ねじ部３１に第２ナット５を螺合させている。【選択図】図２
2008183016.tif 000002
【特許請求の範囲】
【請求項１】
口腔内の骨に埋め込ませて使用するための歯列矯正用のインプラント構造であって、
挿通穴を有するとともに前記口腔内に配置される上部構造体と、
頭部雄ねじ部と、軸線方向に垂直な断面形状が角形をなす係合角状部と、前記係合角状部より大きい外形をなす係止部材と、外周部に雄ねじを形成させて前記口腔内の骨に埋め込まれる埋込みねじ部とがこの順で頭部から先端部に向けて軸線方向に形成された一対のスクリューと、
前記係合角状部に係合する複数の係合穴を形成させ、上方に向けて突出するとともに前記挿通穴を挿通させる突出雄ねじ部を有するベースプレートと、
前記頭部雄ねじ部に螺合する第１螺合部材と、
前記突出雄ねじ部に螺合する第２螺合部材と、
を備え、
前記一対のスクリューを口腔内の骨に埋め込み、前記係合角状部にベースプレートの係合穴を係合させた状態で前記頭部雄ねじ部に前記第１螺合部材を螺合させるとともに、前記突出雄ねじ部に前記上部構造体の挿通穴を挿通させ、その突出雄ねじ部に前記第２螺合部材を螺合させる構成とされたことを特徴とする歯列矯正用のインプラント構造。
【請求項２】
前記ベースプレートの複数の係合穴は、少なくとも一つが前記係合角状部の前記断面形状と同形状をなし、他の係合角状部が前記一対のスクリューのそれぞれの中心を通る軸線方向に長い長穴をなしていることを特徴とする請求項１に記載の歯列矯正用のインプラント構造。
【発明の詳細な説明】
【技術分野】
【０００１】
本発明は、口腔内の骨に埋め込まれて固定源を形成し、歯を移動させる矯正を行うための歯列矯正用のインプラント構造に関する。
【背景技術】
【０００２】
従来、歯列の矯正では、特定の歯を固定して、固定された歯と移動させる歯を接続して、矯正する歯を引っ張って動かす矯正方法がある。この場合、互いの歯で引っ張り合うため、固定した歯も移動する歯の方向に移動してしまうということがあった。そこで、例えば円筒形状のネジ部を形成したネジ式のインプラントを顎部の骨に埋め込み、これを固定源とし、このインプラントにプレートやワイヤーなどをろう着などの固定手段によって固定し、そのプレートやワイヤーなどの端部を歯に固定することで歯列矯正治療が行われている（例えば、特許文献１参照）。
特許文献１は、インプラントボディの頭部に溝を設けたアンカーヘッドを固定させるとともに、このアンカーヘッドを上下方向に貫通するねじ孔が設けられているインプラント構造であり、インプラントボディを顎部の骨に埋め込んで固定し、溝に一端を歯に固定させたワイヤーを係止し、ねじ孔にねじを螺合させることで、そのねじの先端部でワイヤーを固定するものである。
【０００３】
そして、一般的な歯列矯正用インプラントとして、ねじによって構成されるものや３点固定式の構造が多く使用されている。ねじ式のインプラントは、上述した特許文献１のようにインプラントボディに雄ねじを形成させたボルト形状をなし、粘膜下の骨にねじ部をねじ込んでアンカーを形成するものである。一方、３点固定式のインプラントは、インプラントの先端部に軸線方向に直交する方向に張出してなる突出部（支持部）を有する構造をなし、切開手術を行って突出部を骨に埋め込むことで強固に固定することを可能にしたものである。
【特許文献１】特開２００４−５７７２９号公報
【発明の開示】
【発明が解決しようとする課題】
【０００４】
しかしながら、従来のインプラントでは以下のような問題があった。
ねじ式のインプラントは、切開手術の必要がなく、ねじを回転させることで簡単に固定することができるが、ねじ込みの状態が不十分であったり、歯列矯正の際に、ねじが緩む方向に力が作用するとねじが緩んで安定性が悪くなって固定源として使用できなくなるといった問題があった。また、３点固定式のインプラントでは、ねじ式のインプラントに比べて抜け難い構造ではあるが、突出部を埋め込む際に切開手術を施す必要があり、埋め込み作業に時間がかかるうえ、その切開部から感染しやすいといった問題があった。
このようなことから、切開手術が不要で、且つ容易に埋め込むことができ、しかも強固に固定できるインプラントが求められている。
【０００５】
さらに、従来のインプラントの構造では、プレートやワイヤーなどの上部構造体がインプラントに直接、ろう着などによって固定されているため、異なる形状の上部構造体に交換して矯正するような場合には、一度埋め込んだインプラントを抜き取って、新たなインプラントを埋め込まなければならず、容易に上部構造体を変えることができないといった欠点があった。
【０００６】
本発明は、上述する問題点に鑑みてなされたもので、切開手術が不要で、且つ容易に埋め込むことができ、しかも緩みがなく強固に固定できる歯列矯正用のインプラント構造を提供することを目的とする。
また、本発明の他の目的は、インプラントを抜き出すことなく、上部構造体を着脱できるようにした歯列矯正用のインプラント構造を提供することである。
【課題を解決するための手段】
【０００７】
上記目的を達成するため、本発明に係る歯列矯正用のインプラント構造は、口腔内の骨に埋め込ませて使用するための歯列矯正用のインプラント構造であって、挿通穴を有するとともに口腔内に配置される上部構造体と、頭部雄ねじ部と、軸線方向に垂直な断面形状が角形をなす係合角状部と、係合角状部より大きい外形をなす係止部材と、外周部に雄ねじを形成させて口腔内の骨に埋め込まれる埋込みねじ部とがこの順で頭部から先端部に向けて軸線方向に形成された一対のスクリューと、係合角状部に係合する複数の係合穴を形成させ、上方に向けて突出するとともに挿通穴を挿通させる突出雄ねじ部を有するベースプレートと、頭部雄ねじ部に螺合する第１螺合部材と、突出雄ねじ部に螺合する第２螺合部材とを備え、一対のスクリューを口腔内の骨に埋め込み、係合角状部にベースプレートの係合穴を係合させた状態で頭部雄ねじ部に第１螺合部材を螺合させるとともに、突出雄ねじ部に上部構造体の挿通穴を挿通させ、その突出雄ねじ部に第２螺合部材を螺合させる構成とされたことを特徴としている。
本発明では、埋め込んだ一対のスクリューの係合角状部にベースプレートの係合穴を係合させることでベースプレートを配置させ、両スクリューの頭部雄ねじ部に第１螺合部材を螺合させるとともに、ベースプレートの突出雄ねじ部に上部構造体の挿通穴を挿通させ、その突出雄ねじ部に第２螺合部材を螺合させることで、上部構造体を口腔内に固定させることができる。一対のスクリューは、これらの係合角状部が角形状をなしてベースプレートの係合穴を係合させていることから、ベースプレートに対して回転が規制されることになり、緩むことがなくなって強固に固定されることになる。そして、上部構造体は、第２螺合部材を取り外すことでベースプレートから着脱することができることから、例えば歯を異なった方向から引っ張って動かしたい場合に、異なった形状をなす上部構造体に交換して歯列矯正を行うことができる。また、スクリューの埋込みねじ部の上部に係止部材を設けることで、スクリューの頭部が粘膜内に沈み込むことを防ぐことができる。
【０００８】
また、本発明に係る歯列矯正用のインプラント構造では、ベースプレートの複数の係合穴は、少なくとも一つが係合角状部の断面形状と同形状をなし、他の係合角状部が一対のスクリューのそれぞれの中心を通る軸線方向に長い長穴をなしていることが好ましい。
本発明では、一方のスクリューの係合角状部を長穴でないベースプレートの係合穴に係合させ、他方のスクリューの係合角状部を長穴をなす係合穴の範囲内で係合させることができる。そのため、例えば一対のスクリュー間の距離が一定でない状態や互いに平行でない状態であっても、長穴の範囲内で一対のスクリューにベースプレートを配置させることができることから、高精度なスクリューの埋め込み作業が不要となり、作業の簡略化が図れる。
【発明の効果】
【０００９】
本発明の歯列矯正用のインプラント構造によれば、一対のスクリューの係合角状部にベースプレートの係合穴を係合させることでスクリューの回転を規制させることができ、スクリューが抜け出して緩むことがなくなり、口腔内の骨に対してスクリューを強固に固定させることができる。そして、埋め込まれたスクリューがぐらつくことがないので、頭部雄ねじ部に螺合する第１螺合部材が緩むことを防ぐことができる。しかも、切開手術が不要なインプラント構造であり、回転によるねじ込みだけでスクリューを容易に埋め込むことができる。
また、本インプラント構造では、一度埋め込んだスクリューを抜き出すことなく、上部構造体のみを交換することができる。したがって、歯の引張り方向を変えるなど歯列矯正の方法によって好適な上部構造体に交換し、矯正する歯に対して様々な方向に歯を動かすことが可能となり、好適で、且つ確実な治療を行うことができる。
【発明を実施するための最良の形態】
【００１０】
以下、本発明の歯列矯正用のインプラント構造の第一の実施の形態について、図１乃至図４に基づいて説明する。
図１は本発明の第一の実施の形態によるインプラント構造を示す斜視図、図２は図１に示すインプラント構造の分解斜視図、図３はインプラント構造を示す図であって、（ａ）はその平面図、（ｂ）はその側面図、図４はスクリューの側面図である。
【００１１】
図１に示すように、本第一の実施の形態による歯列矯正用のインプラント構造は、口腔内の顎部の骨にスクリュー２を埋め込んで固定させ、このスクリュー２の頭部に上部構造体１０を固定させて口腔内に配置させ、さらに上部構造体１０に図示しない矯正用ブラケットなどをろう着により固着し、それに矯正用ワイヤー、エラスティックス、スプリングなどを介して所定の歯に接続することで歯を所定の方向に移動させるために使用するものである。
【００１２】
次に、本第一の実施の形態の歯列矯正用のインプラント構造１の構成について説明する。
図１乃至図３に示すように、インプラント構造１は、口腔内で顎部の骨に埋め込まれて使用される一対のスクリュー２Ａ、２Ｂ（２）と、各スクリュー２の頭部に固定されるとともに上部構造体１０を支持するベースプレート３と、各スクリュー２の頭部雄ねじ部２１（後述）に螺合する第１ナット４（第１螺合部材）と、ベースプレート３の突出雄ねじ部３１（後述）に螺合する第２ナット５（第２螺合部材）と、ベースプレート３上に着脱可能に設けられる上部構造体１０とを備えている。そして、一対のスクリュー２Ａ、２Ｂは、互いに所定の距離をもって離れて略平行に配置されている。
ここで、このインプラント構造１においては、スクリュー２の軸線方向で先端側を「下側」、「下方」とし、その反対側（基端側）を「上側」、「上方」として以下説明する。
【００１３】
図２に示すように、上部構造体１０は、全体が左右対称の薄板状をなし、中央に配置されていてインプラント構造１に固定される位置をなす支持部１０ａと、この支持部１０ａから連結部１０ｄ、１０ｄを介して水平方向で両側に羽状に延ばされた本体プレート１０ｂ、１０ｃとを有している。そして、支持部１０ａには、後述するベースプレート３の突出雄ねじ部３１に挿通可能とされる挿通穴１０ｅが形成されている。なお、上部構造体１０は、例えばろう着可能なステンレスなどの材料から構成されている。
【００１４】
図４に示すように、スクリュー２は、例えばチタン、チタン合金などの材料からなり、頭部雄ねじ部２１、軸線方向に垂直な断面形状が角形をなす係合六角部２２（係合角状部）、および係合六角部２２より大きい外形をなす係止リング２３（係止部材）、外周部に雄ねじを形成させて口腔内の骨に埋め込まれる埋込み雄ねじ部２４がこの順で頭部から先端部に向けて軸線方向に形成されている。
【００１５】
係合六角部２２は、後述するベースプレート３の第１係合穴３２、或いは第２係合穴３３を係合させるものである。そして、係合六角部２２には、スクリュー２の軸線方向に対して直交する方向に貫通孔２２ａが設けられている。この貫通孔２２ａに例えば移動させる歯に固定させたゴムや針金などの一端を挿通させて固定し、そのゴムや針金などの他端を歯に固定してその歯を引っ張ることができる。
【００１６】
図２及び図４に示すように、係止リング２３は、リング状をなし、スクリュー２の周方向全周にわたって設けられ、平面視の外形が埋込み雄ねじ部２４及び係合六角部２２の外形より大きい形状をなしている。そのため、係止リング２３は、その下面２３ａが口内粘膜（図３（ｂ）に示す二点鎖線Ｈ）上に接触した状態で配置され、上面２３ｂでベースプレート３を支持する構成となっている。
【００１７】
埋込み雄ねじ部２４は、下端に尖形を有する円筒状の本体部に軸線方向全体にわたって螺旋状の条部を形成させたものである。スクリュー２は、埋込み雄ねじ部２４を回転させることにより顎部の骨に食い込ませることで固定され、埋込み雄ねじ部２４が顎部に埋め込まれた状態で係止リング２３から上方の部分（頭部雄ねじ部２１、係合六角部２２）が口内に突出することになる。  
【００１８】
図２に示すように、ベースプレート３は、平面視略長方形の平坦状をなし、例えばステンレス（チタン）などの材料から形成されている。具体的なベースプレート３の構成は、略中央上面に上方に向けて突出するとともに周面に雄ねじを形成させた突出雄ねじ部３１と、突出雄ねじ部３１を挟んだ両側に形成されて一対のスクリュー２Ａ、２Ｂのそれぞれの係合六角部２２、２２に対応して係合する第１係合穴３２、第２係合穴３３とからなる。
【００１９】
突出雄ねじ部３１は、上述した上部構造体１０の挿通穴１０ｅを挿通可能に形成されている。そして、突出雄ねじ部３１における基端部の周囲は、上部構造体１０を固定させるための座面３ａをなしている。また、ベースプレート３には、座面３ａを挟んだ両側の位置にベースプレート３の短手方向に延びるガイド部３４、３４が形成されている。このガイド部３４、３４は、突出雄ねじ部３１に取り付けた上部構造体１０が突出雄ねじ部３１を中心に回転することを規制させるものである。
【００２０】
第１係合穴３２は、平面視で内周形状がスクリュー２の係合六角部２２と同じ断面形状の六角形状をなし、係合六角部２２に係合可能に形成されている。
第２係合穴３３は、六角形状でベースプレート３の長手方向（一対のスクリュー２Ａ、２Ｂのそれぞれの中心を通る軸線方向）に平行に延びる辺が長い形状の長穴をなしている。すなわち、一対のスクリュー２Ａ、２Ｂ間の距離が一定でない場合や、互いに平行な状態で埋め込みできない場合であっても、一方のスクリュー２を第１係合穴３２に係合させ、他方のスクリュー２を長穴の範囲内において第２係合穴３３に係合させて、ベースプレート３を取り付けることが可能な構造となっている。例えば、一対のスクリュー２Ａ、２Ｂの最小間隔を７．８ｍｍとし、長穴をなす第２係合穴３３内におけるスクリュー２の移動量を１．６ｍｍの範囲とするとき、一対のスクリュー２Ａ、２Ｂの埋め込み間隔は７．８ｍｍ〜９．４ｍｍとなり、この範囲内であれば、互いのスクリュー２Ａ、２Ｂ間の距離に関係なく埋め込むことができる。
【００２１】
ここで、図２に示す第１ナット４は、符号２Ａのスクリューに対応するものを符号４Ａとし、同じく符号２Ｂに対応するものを符号４Ｂとする。
第１ナット４Ａ、４Ｂは、スクリュー２にベースプレート３を配置させた状態で、ベースプレート３より上方に突出した状態の頭部雄ねじ部２１に螺合される。一方、第２ナット５は、ベースプレート３の突出雄ねじ部３１に上部構造体１０の挿通穴１０ｅを挿通させた状態で、上部構造体１０より上方に突出した突出雄ねじ部３１に螺合される。
【００２２】
次に、上述したインプラント構造１を使用した取り付け方法と、インプラント構造１の作用について図面に基づいて説明する。
図２に示すように、先ず、歯列矯正を行うべき患者の口腔内の顎の骨（例えば、上顎の口蓋骨の中央部など）に対してインプラント構造１のアンカー位置（すなわちスクリュー２Ａ、２Ｂの埋め込み位置）を決定する。そして、専用のドライバ（図示省略）などを使用し、二本のスクリュー２Ａ、２Ｂを所定間隔をもって平行となるように回転させながらスクリュー２の軸線方向に埋め込む。
なお、図３（ｂ）に示すように、埋め込むスクリュー２Ａ、２Ｂは、係止リング２３の下面２３ａ（図４参照）が粘膜の表面（二点鎖線Ｈ）に接触する位置で下方へのねじ込みを終了させる。このとき、係止リング２３が前記粘膜の表面Ｈに当接した状態となっているので、スクリュー２Ａ、２Ｂが粘膜内に沈み込むことを防ぐことができる。
【００２３】
次いで、埋め込んだ一方のスクリュー２Ａの係合六角部２２を長穴でないベースプレート３の第１係合穴３２に係合させ、他方のスクリュー２Ｂの係合六角部２２を長穴をなす第２係合穴３３の範囲内で係合させる。そのため、例えば一対のスクリュー２Ａ、２Ｂ間の距離が一定でない状態や互いに平行でない状態であっても、長穴の範囲内で一対のスクリュー２Ａ、２Ｂにベースプレート３を配置させることができることから、高精度なスクリューの埋め込み作業が不要となり、作業の簡略化が図れるようになっている。
【００２４】
そして、第１ナット４Ａ、４Ｂを頭部雄ねじ部２１に螺合させることでベースプレート３を固定する。なお、例えば埋め込んだ一対のスクリュー２Ａ、２Ｂが平行でなく僅かに傾いた状態であっても、ベースプレート３がステンレス製などであることから、そのベースプレート３を適宜に湾曲させ、その係合穴３２、３３の位置を係合六角部２２、２２に合わせて調整することができる。
【００２５】
続いて、上部構造体１０の挿通穴１０ｅを突出雄ねじ部３１に挿通させてから、第２ナット５をその突出雄ねじ部３１に螺合させて上部構造体１０を固定する。このとき、ベースプレート３に固定される上部構造体１０は、ガイド部３４、３４（図３（ａ）参照）によって突出雄ねじ部３１を中心とした軸周りの回転が規制されることになる。そして、固定された上部構造体１０は、ベースプレート３の両側方に本体プレート１０ｂ、１０ｃが張り出した状態で配置される。
【００２６】
このように埋め込まれた一対のスクリュー２Ａ、２Ｂは、これらの係合六角部２２、２２が角形状をなしてベースプレート３の第１係合穴３２や第２係合穴３３を係合させていることから、ベースプレート３に対して回転が規制されることになり、緩むことがなくなって強固に固定されることになる。
そして、上部構造体１０は、第２ナット５を取り外すことでベースプレート３から着脱することができることから、例えば歯を異なった方向から引っ張って動かしたい場合に、異なった形状をなす上部構造体に交換して歯列矯正を行うことができる。
【００２７】
上述した本第一の実施の形態による歯列矯正用のインプラント構造では、一対のスクリュー２Ａ、２Ｂの係合六角部２２にベースプレート３の第１係合穴３２と第２係合穴３３を係合させることでスクリュー２Ａ、２Ｂの回転が規制されることから、スクリュー２Ａ、２Ｂが抜け出して緩むことがなくなり、口腔内の骨に対してスクリュー２Ａ、２Ｂを強固に固定させることができる。そして、埋め込まれたスクリュー２Ａ、２Ｂがぐらつくことがないので、頭部雄ねじ部２１に螺合する第１ナット４Ａ、４Ｂが緩むことを防ぐことができる。しかも、切開手術が不要なインプラント構造であり、回転によるねじ込みだけでスクリュー２Ａ、２Ｂを容易に埋め込むことができる。
また、本インプラント構造１では、一度埋め込んだスクリュー２Ａ、２Ｂを抜き出すことなく、上部構造体のみを交換することができる。したがって、歯の引張り方向を変えるなど歯列矯正の方法によって好適な上部構造体に交換し、矯正する歯に対して様々な方向に歯を動かすことが可能となり、好適で、且つ確実な治療を行うことができる。
【００２８】
次に、本発明の第二の実施の形態および他の変形例について、添付図面に基づいて説明するが、上述の第一の実施の形態と同一又は同様な部材、部分には同一の符号を用いて説明を省略し、第一の実施の形態と異なる構成について説明する。
図５は本発明の第二の実施の形態による上部構造体を取り付けたインプラント構造の概要を示す斜視図、図６は図５に示すインプラント構造の分解斜視図、図７は図５に示すインプラント構造の平面図、図８は図６に示すインプラント構造のベースプレートの平面図である。
【００２９】
図５及び図６に示すように、第二の実施の形態のインプラント構造１は、第一の実施の形態のベースプレート３（図１参照）に代えて、第１係合穴６２、６２、…を複数設けるとともに、上部構造体１１を載せる位置（座面６ａ）が長手方向の一端に設けられたベースプレート６を用いた構造であり、例えば口腔内の骨の任意の位置に固定させて使用される。
図６及び図７に示すように、ベースプレート６には、１つの本体プレート１１ｂを有する上部構造体１１が固定されている。具体的に上部構造体１１は、第一の実施の形態における略中央に支持部１０ａを設けた上部構造体１０（図２参照）に代えて、一端に挿通穴１１ｄを形成させた支持部１１ａを有し、この支持部１１ａに連結部１１ｃを介して平板状の本体プレート１１ｂが固定されている。本体プレート１１ｂは、ステンレスなどの材料からなり、連結部１１ｃで曲げてその角度を自在に変えることができる構成となっている。なお、スクリュー２Ａ、２Ｂおよび第１ナット４、第２ナット５の構成は、第一の実施の形態と同様であるので説明は省略する。
【００３０】
ベースプレート６は、平面視略長方形の平坦状をなし、その一端に上方に突出した突出雄ねじ部６１と、突出雄ねじ部６１側の位置に設けられた長穴の第２係合穴６３と、第２係合穴６３を挟んで突出雄ねじ部６１側と反対側の位置に長手方向に等間隔で配置される複数（本第二の実施の形態では４つ）の第１係合穴６２、６２、…とを有している。
そして、上部構造体１１の本体プレート１１ｂを外方に向けた状態で、挿通穴１１ｄをベースプレート６の突出雄ねじ部６１に挿通させてから、その突出雄ねじ部６１に第２ナット５を螺合させ、上部構造体１１をベースプレート６に対してインプラント構造１に固定させる構成となっている。
【００３１】
第二の実施の形態では、第一の実施の形態と同様にスクリュー２Ａ、２Ｂの一方がベースプレート６の複数の第１係合穴６２のいずれか１つに係合され、スクリュー２の他方が第２係合穴６３に係合されることになる。
図８に示すように、本第二の実施の形態では、例えば、第２係合穴６３の長手方向の寸法Ｄ１を５．６ｍｍ、第１係合穴６２の長さ寸法Ｄ２を２．４ｍｍ、隣り合う第１係合穴６２、６２同士の間及び第１係合穴６２と第２係合穴６３との間の間隔Ｄ３（係合穴間寸法）を０．４ｍｍとされる。具体的に第２係合穴６３の長さ寸法Ｄ１は、２つの第１係合穴６２、６２の長さ寸法と係合穴間寸法とを合わせた寸法（Ｄ２＋Ｄ２＋Ｄ３）、すなわち５．２ｍｍ以上となっている。このとき、一対のスクリュー２Ａ、２Ｂ同士の埋め込み可能な間隔は、最小寸法（隣り合う第１係合穴６２、６２の中心間距離）で２．８ｍｍとなり、最大寸法で１４．４ｍｍとなる。すなわち、埋め込まれる一対のスクリュー２Ａ、２Ｂの埋め込み間隔が２．８ｍｍ〜１４．４ｍｍの範囲内となっていれば、その両スクリュー２Ａ、２Ｂにベースプレート６を取り付けることができる。
【００３２】
このように、本第二の実施の形態では、第一の実施の形態と同様にスクリュー２Ａ、２Ｂの回転が規制されることから、スクリュー２Ａ、２Ｂの安定性を向上させることができ強固に固定させることができる。そして、上部構造体１１の着脱も、第一の実施の形態と同様に、第２ナット５を取り外すだけで、他の形状の上部構造体に交換することができる。
【００３３】
次に、図９（ａ）〜（ｃ）を参照して第一の実施の形態の変形例（第１乃至第３変形例）を説明する。
図９（ａ）〜（ｃ）は第一の実施の形態の他の形態を示す図であって、図１に対応する斜視図である。
図９（ａ）〜（ｃ）に示す第１乃至第３変形例は、第一の実施の形態と同様のインプラント構造１、すなわち第１係合穴３２及び第２係合穴３３を有するベースプレート３（図２参照）を使用し、それぞれ異なる上部構造体１２、１３、１４を取り付けた形態を示している。
【００３４】
図９（ａ）に示すように、第１変形例の上部構造体１２は、中央に位置する支持部１２ａから両側に連結部１２ｄ、１２ｄを介して本体プレート１２ｂ、１２ｃを設けたものである。本上部構造体１２は、本体プレート１２ｂ、１２ｃがステンレスなどの材料からなり、連結部１２ｄ、１２ｄを任意に湾曲させてその角度を自在に変えることができる構成となっている。
【００３５】
図９（ｂ）に示すように、第２変形例の上部構造体１３は、中央に位置する支持部１３ａから両側に向けて断面が円形をなす円形ワイヤー１３ｂ、１３ｂを固定させたものである。
【００３６】
図９（ｃ）に示すように、第３変形例の上部構造体１４は、中央に位置する支持部１４ａから両側に向けて断面が角型をなす角型ワイヤー１４ｂ、１４ｂを固定させたものである。
【００３７】
次に、図１０（ａ）、（ｂ）を参照して第二の実施の形態の変形例（第４及び第５変形例）を説明する。
図１０（ａ）、（ｂ）は第二の実施の形態の他の形態を示す図であって、図１に対応する斜視図である。
図１０（ａ）、（ｂ）に示す第４及び第５変形例は、第二の実施の形態と同様のインプラント構造１、すなわち複数の第１係合穴６２、６２、…及び第２係合穴６３を有するベースプレート６（図６参照）を使用し、それぞれ異なる上部構造体１５、１６を取り付けた形態を示している。
【００３８】
図１０（ａ）に示すように、第４変形例の上部構造体１５は、一端に位置する支持部１５ａから外方に向けて断面が円形をなす円形ワイヤー１５ｂを固定させたものである。
【００３９】
図１０（ｂ）に示すように、第５変形例の上部構造体１６は、一端に位置する支持部１６ａから外方に向けて断面が角型をなす角型ワイヤー１６ｂを固定させたものである。
【００４０】
以上、本発明による歯列矯正用のインプラント構造の第一の実施の形態、第二の実施の形態、及び各変形例（第１乃至第５変形例）について説明したが、本発明は上記の実施の形態及び変形例に限定されるものではなく、その趣旨を逸脱しない範囲で適宜変更可能である。
例えば、本実施の形態では、係合六角部２２としているが、平面視で六角形状であることに限定されることはない。要は、例えば平面視角形であればよいのであって、三角形、四角形、八角形などの形状であってもかまわない。
【００４１】
また、上部構造体１０〜１６、ベースプレート３の形状、長さ、種類などは実施の形態や各変形例に限定されるものではない。
さらに、第二の実施の形態、第４及び第５変形例では第１係合穴６２の数量を４つとしているが、この数量にとくに限定されることはなく、第一の実施の形態の第１係合穴３２ように１つであってもよく、また３つ或いは５つ以上設けてもかまわない
【図面の簡単な説明】
【００４２】
【図１】本発明の第一の実施の形態によるインプラント構造を示す斜視図である。
【図２】図１に示すインプラント構造の分解斜視図である。
【図３】インプラント構造を示す図であって、（ａ）はその平面図、（ｂ）はその側面図である。
【図４】スクリューの側面図である。
【図５】本発明の第二の実施の形態による上部構造体を取り付けたインプラント構造の概要を示す斜視図である。
【図６】図５に示すインプラント構造の分解斜視図である。
【図７】図５に示すインプラント構造の平面図である。
【図８】図６に示すインプラント構造のベースプレートの平面図である。
【図９】（ａ）〜（ｃ）は第一の実施の形態の他の形態を示す図であって、図１に対応する斜視図である。
【図１０】（ａ）、（ｂ）は第二の実施の形態の他の形態を示す図であって、図１に対応する斜視図である。
【符号の説明】
【００４３】
１  インプラント構造
２、２Ａ、２Ｂ  スクリュー
２１  頭部雄ねじ部
２２  係合六角部（係合角状部）
２３  係止リング（係止部材）
２４  埋込み雄ねじ部
３、６  ベースプレート
３１、６１  突出雄ねじ部
３２、６２  第１係合穴
３３、６３  第２係合穴
４、４Ａ、４Ｂ  第１ナット（第１螺合部材）
５  第２ナット（第２螺合部材）
１０、１１、１２、１３、１４、１５、１６  上部構造体
１０ｅ、１１ｄ  挿通穴
【図１】
2008183016.tif 000003
【図２】
2008183016.tif 000004
【図３】
2008183016.tif 000005
【図４】
2008183016.tif 000006
【図５】
2008183016.tif 000007
【図６】
2008183016.tif 000008
【図７】
2008183016.tif 000009
【図８】
2008183016.tif 000010
【図９】
2008183016.tif 000011
【図１０】
2008183016.tif 000012